(57)【要約】【課題】冷蔵庫の野菜室において様々な大きさの細長い形の野菜を立てて保存することが可能な冷蔵庫の固定具付き収納容器を提供する。【解決手段】側部２４の内周に沿って枠体２８が設けられ、この枠体２８の上部にほぼ一定の間隔でピン２４ａが立設され、底部２２の内側には様々な大きさの凹部２２ａ，２２ｂ，２２ｃ，２２ｄを複数有している収納容器２０と、例えばこのピン２４ａへ挿入できる両端にそれぞれ１つのリング部３０ａを有する２本の紐Ａ３０と、このピン２４ａへ挿入できる４つのリング部３２ａを有する１本の紐Ｂ３２とを備えているので、簡単な操作で収納容器２０に収納される野菜の大きさに応じて、野菜を立てた状態で収納する空間４０ａ，４０ｂ，４０ｃ，４０ｄや他の空間を形成できる。【選択図】図２
0003116009.tif 000002
【実用新案登録請求の範囲】
【請求項１】
冷蔵庫の野菜室内に収容され、底部と側部と開口部とを有する収納容器と、
前記収納容器内の側部に設けられた１つ以上の被係止部と、
前記１つ以上の被係止部に係止可能な複数の係止部を有する１つ以上の紐体と、
を備えることを特徴とする冷蔵庫の固定具付き収納容器。
【請求項２】
請求項１に記載の冷蔵庫の固定具付き収納容器において、
前記紐体は、伸縮性を有する紐状の部材からなることを特徴とする冷蔵庫の固定具付き収納容器。
【請求項３】
請求項１または請求項２に記載の冷蔵庫の固定具付き収納容器において、
前記紐体は、紐本体とその紐本体を巻取り可能な巻取り手段を有していることを特徴とする冷蔵庫の固定具付き収納容器。
【請求項４】
請求項１〜請求項３のいずれかに記載の冷蔵庫の固定具付き収納容器において、
前記収納容器は、その収納容器内の底部に１つ以上の凹部を有していることを特徴とする冷蔵庫の固定具付き収納容器。
【請求項５】
請求項１〜請求項４のいずれかに記載の冷蔵庫の固定具付き収納容器において、
前記収納容器内の側部に設けられた１つ以上の被係止部は、前記１つ以上の紐体の係止部が係止可能な突起部を有していることを特徴とする冷蔵庫の固定具付き収納容器。
【請求項６】
請求項１〜請求項４のいずれかに記載の冷蔵庫の固定具付き収納容器において、
前記１つ以上の紐体が有する複数の係止部は、前記収納容器内の側部に設けられた１つ以上の被係止部に係止可能な突起部を有していることを特徴とする冷蔵庫の固定具付き収納容器。
【請求項７】
請求項１〜請求項４のいずれかに記載の冷蔵庫の固定具付き収納容器において、
前記１つ以上の紐体が有する複数の係止部は、前記収納容器内の側部に設けられた１つ以上の被係止部に係止可能な吸着手段を有していることを特徴とする冷蔵庫の固定具付き収納容器。
【請求項８】
請求項１〜請求項７のいずれかに記載の冷蔵庫の固定具付き収納容器において、
前記１つ以上の紐体は、その両端にそれぞれ１つの係止部を有していることを特徴とする冷蔵庫の固定具付き収納容器。
【請求項９】
請求項１〜請求項８のいずれかに記載の冷蔵庫の固定具付き収納容器において、
前記収納容器内の側部に設けられた１つ以上の被係止部は、前記収納容器内の底部に略平行な１つ以上の側部内周に沿って配置されていることを特徴とする冷蔵庫の固定具付き収納容器。
【請求項１０】
請求項９に記載の冷蔵庫の固定具付き収納容器において、
前記収納容器内の側部に設けられた１つ以上の被係止部は、前記収納容器内の底部に略平行な２つの側部内周に沿って配置され、
その１つの側部内周の前記収納容器内の底部からの高さは、前記収納容器内の底部から開口部までの高さの略４分の１の位置であり、他の１つの側部内周の前記収納容器内の底部からの高さは、前記収納容器内の底部から開口部までの高さの略４分の３の位置であることを特徴とする冷蔵庫の固定具付き収納容器。
【請求項１１】
請求項１〜請求項１０のいずれかに記載の冷蔵庫の固定具付き収納容器において、
前記１つ以上の紐体は、その紐体の少なくとも一部が前記収納容器内の側部に固定されていることを特徴とする冷蔵庫の固定具付き収納容器。
【請求項１２】
請求項１１に記載の冷蔵庫の固定具付き収納容器において、
前記１つ以上の紐体は、その紐体の一端が前記収納容器内の側部に固定され、他端が１つの係止部を有していることを特徴とする冷蔵庫の固定具付き収納容器。
【請求項１３】
請求項１１または請求項１２に記載の冷蔵庫の固定具付き収納容器において、
前記収納容器内の側部に固定された１つ以上の紐体は、その紐体の一端が前記収納容器内の底部に略平行な１つ以上の側部内周に沿って配置されていることを特徴とする冷蔵庫の固定具付き収納容器。
【請求項１４】
請求項１３に記載の冷蔵庫の固定具付き収納容器において、
前記収納容器内の側部に固定された１つ以上の紐体は、その紐体の一端が前記収納容器内の底部に略平行な２つの側部内周に沿って配置され、
その１つの側部内周の前記収納容器内の底部からの高さは、前記収納容器内の底部から開口部までの高さの略４分の１の位置に配置され、他の１つの側部内周の前記収納容器内の底部からの高さは、前記収納容器内の底部から開口部までの高さの略４分の３の位置に配置されていることを特徴とする冷蔵庫の固定具付き収納容器。
【請求項１５】
請求項１〜請求項１４のいずれかに記載の冷蔵庫の固定具付き収納容器を有する冷蔵庫。
【考案の詳細な説明】
【技術分野】
【０００１】
本考案は、冷蔵庫の野菜室において野菜を立てて保存するための冷蔵庫の固定具付き収納容器に関する。
【背景技術】
【０００２】
従来より、冷蔵庫の野菜室において細長い形の野菜、例えばねぎ、大根、牛蒡、白菜、セロリ、アスパラ、ほうれん草などは横に寝かせた状態で保存されていた。しかし、野菜を横に寝かせた状態で保存した場合と立てた状態で保存した場合とで野菜の傷み具合を比較すると、野菜を立てた状態すなわち自然に生えている状態で保存した場合の方が野菜の傷み具合は少ないことが一般に知られている。
【０００３】
そして、野菜を立てた状態で保存する具体例として、伸縮性のある紐（ひも）で冷蔵庫の野菜ケ−スを仕切り、野菜を立てて保存する冷蔵庫における野菜立てが知られている（例えば特許文献１参照）。
【特許文献１】特開２００２−２２８３５０号（第２頁）
【考案の開示】
【考案が解決しようとする課題】
【０００４】
しかし、上記特許文献１に記載の冷蔵庫における野菜立てにおいては、紐の両端が固定されているため、次のような問題がある。すなわち、紐でできた仕切りの幅を狭くすると、伸縮性のある紐ではあるが、野菜を立てた方向に垂直な断面形状の外形寸法が仕切りの幅寸法より大きい野菜が入らない場合がある。また、紐でできた仕切りの幅を広くすると、野菜を立てた方向に垂直な断面形状の外形寸法が仕切りの幅寸法より小さい野菜を立てて保存できない場合がある。さらに、紐が一方向にのみ配置されているので、紐の軸方向には紐による仕切りがなく、支えが無いため野菜は紐の軸方向へ倒れやすい。
【０００５】
このように、様々な大きさの細長い形の野菜を立てた状態で保存することが難しいという問題があった。
本考案は、このような不具合に鑑みなされたものであり、冷蔵庫の野菜室において様々な大きさの細長い形の野菜を立てて保存することが可能な冷蔵庫の固定具付き収納容器を提供することを目的とする。
【課題を解決するための手段】
【０００６】
上述した問題点を解決するためになされた本考案の冷蔵庫の固定具付き収納容器（１７：なお、この欄においては、考案に対する理解を容易にするため、必要に応じて「考案を実施するための最良の形態」欄において説明した構成要素を括弧内に示すが、この記載によって実用新案登録請求の範囲を限定することを意味するものではない。）は、冷蔵庫（１）の野菜室（１０）内に収容され底部（２２）と側部（２４）と開口部（２６）とを有する収納容器（２０）と、収納容器内の側部に設けられた１つ以上の被係止部（２４ａ）と、１つ以上の被係止部に係止可能な複数の係止部（３０ａ，３２ａ）を有する１つ以上の紐体（３０，３２）と、を備える。
【０００７】
上述のように、本考案によれば、紐体が有する係止部を収納容器内の側部に設けられた被係止部のうち任意の被係止部に係止できるので、収納容器内に収納される野菜の大きさに応じて、野菜を立てた状態で収納する空間を形成できる。例えば紐体を交差させ紐体と紐体とで空間を形成したり、紐体と収納容器内の側部とで空間を形成できる。このように、野菜の大きさに応じて、例えば紐体と収納容器内の側部とで野菜の側部を支え、野菜を立てた状態で保存できるので、野菜を横に寝かせた状態で保存する場合と比較して野菜の傷み具合を少なくできる。すなわち同じ程度の傷み具合になるまでの野菜の保存期間を長くできる。
【０００８】
なお、紐体が伸縮性を有しない場合、紐体が有する例えば２つの係止部の係止部間の距離よりも長い距離にある２つの被係止部には、この紐体の２つの係止部は係止できない。一方、この２つの係止部間より短い距離にある２つの被係止部にこの紐体の２つの係止部を係止すると紐体が緩む。そのため、例えば紐体が緩まないように紐体が有する２つの係止部を被係止部へ係止させたい場合には、係止対象の被係止部がほぼ限定される。
【０００９】
それに対して、請求項２に記載のように、伸縮性を有する紐状の部材にて紐体を形成すれば、係止対象の被係止部の自由度が上がる。
つまり、紐体は伸縮性を有するので、紐体が緩まないように例えば紐体が有する２つの係止部を被係止部へ係止する場合に被係止部の位置が限定されにくい。よって、収納される野菜の大きさが変わっても、被係止部へ係止する例えば紐体が有する２つの係止部を臨機応変に変更することができる。また、紐体を水平方向へ伸ばして、容易に野菜を収納したり、取り出したりすることもできる。さらに、収納する野菜の水平方向の大きさが、収納空間の大きさより多少大きくても、紐体を水平方向へ伸ばして収納することができる。また、収納される野菜は紐体が伸びて密着して支えるので、支える力が分散され、野菜の傷みを少なくできる。
【００１０】
また、請求項３に記載のように、紐体は、紐本体とその紐本体を巻取り可能な巻取り手段（３６）を有しているとよい。
このように構成された本考案によれば、紐体を使用しない場合には、紐本体を巻取り手段によって巻き取れるので収納容器内へ野菜を収納したり、取り出すときに紐体が邪魔にならない。したがって、紐体を使用しない場合に、紐体を取り外す手間が不要で、紐体の保管場所も不要となる。
【００１１】
さらに、請求項４に記載のように、収納容器は、その収納容器内の底部に１つ以上の凹部（２２ａ）を有しているとよい。
このように構成された本考案によれば、収納容器内の底部に１つ以上の凹部を有しているので、この凹部に野菜の下端部を収納して野菜を立てた状態で収納すれば、野菜の下端部はこの凹部で支えられ、野菜の側部は例えば紐体と収納容器内の側部とで支えられることとなる。そのため、野菜の下端部が収納容器内の底部で滑って野菜が傾いたり、倒れて横になることを防止できる。
【００１２】
そして、請求項５に記載のように、収納容器内の側部に設けられた１つ以上の被係止部は、１つ以上の紐体の係止部が係止可能な突起部（２４ａ）を有しているとよい。
このように構成された本考案によれば、被係止部は、紐体の係止部が係止可能な突起部を有しているので、紐体の係止部を例えば簡単なリング形状もしくはフック形状とすることにより、そのような形状の係止部を突起部に引掛けるという簡単な操作で紐体の係止部を収納容器内の側部に設けられた被係止部に係止できる。
【００１３】
また、請求項１〜請求項４のいずれかに記載の冷蔵庫の固定具付き収納容器において、請求項６に記載のように、１つ以上の紐体が有する複数の係止部は、収納容器内の側部に設けられた１つ以上の被係止部に係止可能な突起部（１３０ａ）を有していてもよい。
【００１４】
このように構成された本考案によれば、係止部は、収納容器内の側部に設けられた被係止部に係止可能な突起部を有しているので、収納容器内の側部に設けられた被係止部を例えば簡単なリング形状もしくはフック形状とすることにより、そのような形状の被係止部に突起部を引掛けるという簡単な操作で紐体の係止部を収納容器内の側部に設けられた被係止部に係止できる。
【００１５】
本考案の「係止」とは、脱着可能な一時的な固定を意味している。そのため、上述したリング形状もしくはフック形状の被係止部に突起部を引掛けるというように機械的に引掛けて脱着可能な一時的な固定を実現してもよいが、それ以外にも例えば物理的な吸着によって脱着可能な一時的な固定を実現してもよい。
【００１６】
そこで、請求項１〜請求項４のいずれかに記載の冷蔵庫の固定具付き収納容器において、請求項７に記載のように、１つ以上の紐体が有する複数の係止部は、収納容器内の側部に設けられた１つ以上の被係止部に係止可能な吸着手段（２３０ａ）を有していてもよい。
【００１７】
このように構成された本考案によれば、係止部は、収納容器内の側部に設けられた被係止部に係止可能な吸着手段、例えば吸盤（２３０ａ）を有しているので、収納容器内の側部に設けられた被係止部を例えば平滑な表面形状とすることにより、吸盤を平滑な被係止部に吸着させるという簡単な操作で紐体の係止部を収納容器内の側部に設けられた被係止部に係止できる。
【００１８】
また、請求項８に記載のように、１つ以上の紐体は、その両端にそれぞれ１つの係止部（３０ａ）を有しているとよい。
このように構成された本考案によれば、紐体が有する係止部はその両端にそれぞれ１つのみなので、紐体の構造が簡単である。また、請求項５に記載の冷蔵庫の固定具付き収納容器において請求項８に記載した考案を適用した場合、被係止部は、紐体の係止部が係止可能な突起部を有しているので、例えばこの突起部が紐体を引掛けられように形成されていれば、１本の紐体で複数の突起部に紐体を引掛けて収納容器内に収納される野菜の大きさに応じて、野菜を立てた状態収納する空間を形成できる。例えば簡単に紐体を交差させ紐体と紐体とで空間を形成したり、紐体と収納容器内の側部とで空間を形成できる。
【００１９】
また、請求項９に記載のように、収納容器内の側部に設けられた１つ以上の被係止部は、収納容器内の底部に略平行な１つ以上の側部内周（６２４ａ）に沿って配置されているとよい。
【００２０】
このように構成された本考案によれば、収納容器内の側部に設けられた１つ以上の被係止部は収納容器内の底部に略平行に配置されているので、収納容器内の側部に設けられた１つ以上の被係止部に紐体の係止部を係止するときに被係止部の位置の確認が容易で操作性がよい。
【００２１】
さらに、請求項９に記載の冷蔵庫の固定具付き収納容器において、請求項１０に記載のように、収納容器内の側部に設けられた１つ以上の被係止部は、収納容器内の底部に略平行な２つの側部内周に沿って配置され、その１つの側部内周の収納容器内の底部からの高さは、収納容器内の底部から開口部までの高さの略４分の１の位置であり、他の１つの側部内周の収納容器内の底部からの高さは、収納容器内の底部から開口部までの高さの略４分の３の位置であるとよい。
【００２２】
このように構成された本考案によれば、収納容器内の側部に設けられた被係止部が２つの側部内周に沿って配置されているので、野菜を収納する空間を形成し、野菜を収納できる。例えば底部に近い側部内周に沿って配置された被係止部に係止された紐体を交差させ紐体と紐体とで空間を形成したり、紐体と収納容器内の側部とで空間を形成できる。そして、開口部に近い側部内周に沿って配置された被係止部に係止された紐体を交差させ紐体と紐体とで空間を形成したり、紐体と収納容器内の側部とで空間を形成できる。したがって、野菜の下部は底部に近い例えば紐体と収納容器内の側部とで支えられ、野菜の側部は開口部に近い例えば紐体と収納容器内の側部とで支えられるので、野菜の下端部が収納容器内の底部で滑って野菜が傾いたり、倒れて横になることを防止できる。
【００２３】
さて、請求項１１に記載のように、１つ以上の紐体は、その紐体の少なくとも一部が収納容器内の側部に固定（４３０ｂ）されているとよい。
このように構成された本考案によれば、紐体は、その紐体の少なくとも一部が収納容器内の側部に固定されているので、紐体を使用しない場合紐体を取り外して紐体を紛失してしまうということがない。また、例えば、請求項３に記載の冷蔵庫の固定具付き収納容器において請求項１１に記載した考案を適用した場合、紐体は、紐本体とその紐本体を巻取り可能な巻取り手段を有しているので、紐体を使用しない場合には、紐本体を巻取り手段によって巻き取った状態で収納容器内に保管できる。したがって、紐体を使用しない場合には、収納容器内で野菜を収納、取り出しするときに紐体が邪魔にならずに、紐体を取り外す手間が不要で、且つ紐体の紛失を防止できる。
【００２４】
なお、請求項１１に記載の冷蔵庫の固定具付き収納容器において、請求項１２に記載のように、１つ以上の紐体は、その紐体の一端が収納容器内の側部に固定（４３０ｂ）され、他端が１つの係止部（４３０ａ）を有しているとよい。
【００２５】
このように構成された本考案によれば、紐体が有する係止部は収納容器内の側部に固定されていない他端に１つのみなので、紐体の構造が簡単である。また、請求項５に記載の冷蔵庫の固定具付き収納容器において請求項１２に記載した考案を適用した場合、被係止部は、紐体の係止部が係止可能な突起部を有しているので、例えばこの突起部が紐体を引掛けられように形成されていれば、１本の紐体で複数の突起部に紐体を引掛けて収納容器内に収納される野菜の大きさに応じて、野菜を立てた状態収納する空間を形成できる。例えば簡単に紐体を交差させ紐体と紐体とで空間を形成したり、紐体と収納容器内の側部とで空間を形成でき、且つ紐体の紛失を防止できる。
【００２６】
また、請求項１１または請求項１２に記載の冷蔵庫の固定具付き収納容器において、請求項１３に記載のように、収納容器内の側部に固定されている１つ以上の紐体は、その紐体の一端が収納容器内の底部に略平行な１つ以上の側部内周に沿って配置されているとよい。
【００２７】
このように構成された本考案によれば、収納容器内の側部に固定されている１つ以上の紐体はその紐体の一端が収納容器内の底部に略平行に配置されているので、収納容器内の側部に設けられた１つ以上の被係止部に紐体の係止部を係止するときに被係止部の位置の確認が容易で操作性がよい。
【００２８】
さらに、請求項１３に記載の冷蔵庫の固定具付き収納容器において、請求項１４に記載のように、収納容器内の側部に固定された１つ以上の紐体は、その紐体の一端が収納容器内の底部に略平行な２つの側部内周に沿って配置され、その１つの側部内周の収納容器内の底部からの高さは、収納容器内の底部から開口部までの高さの略４分の１の位置に配置され、他の１つの側部内周の収納容器内の底部からの高さは、収納容器内の底部から開口部までの高さの略４分の３の位置に配置されているとよい。
【００２９】
このように構成された本考案によれば、収納容器内の側部に固定されている紐体の一端が２つの側部内周に沿って配置されているので、野菜を収納する空間を形成し、野菜を収納できる。例えば底部に近い側部内周に沿って配置された紐体の一端が固定された紐体を交差させ紐体と紐体とで空間を形成したり、紐体と収納容器内の側部とで空間を形成できる。そして、開口部に近い側部内周に沿って配置された紐体の一端が固定された紐体を交差させ紐体と紐体とで空間を形成したり、紐体と収納容器内の側部とで空間を形成できる。したがって、野菜の下部は底部に近い例えば紐体と収納容器内の側部とで支えられ、野菜の側部は開口部に近い例えば紐体と収納容器内の側部とで支えられるので、野菜の下端部が収納容器内の底部で滑って野菜が傾いたり、倒れて横になることを防止できる。
【００３０】
また、請求項１５に記載のように冷蔵庫は、冷蔵庫の固定具付き収納容器を備えているとよい。
このように構成された本考案によれば、冷蔵庫の野菜室において様々な大きさの細長い形の野菜を立てて保存することができる。
【考案を実施するための最良の形態】
【００３１】
以下、本考案が適用された実施形態を図面とともに説明する。
［冷蔵庫本体１の全体構成の説明］
図１は本実施形態の冷蔵庫本体１の縦断面図である。図１において、冷蔵庫本体１は前面全域を開口として形成されている。この冷蔵庫本体１は鋼鈑からなる外箱２と、硬質樹脂材料からなる内箱３との間に発泡ウレタン等の断熱材４を充填して構成されている。また、この冷蔵庫本体１の内部に断熱材５を充填して構成される中間仕切り壁６，７，８によってそれぞれ独立した冷蔵室９、野菜室１０及び冷凍室１１，１２に区画されている。
【００３２】
さらに、冷蔵室９の前面開口は気密の高い回転式断熱扉１３によって密閉されている。また、野菜室１０の前面開口は気密の高い引き出し式断熱扉１４によって、さらに冷凍室１１及び冷凍室１２の前面開口は気密の高い引き出し式断熱扉１５，１６によってそれぞれ密閉されている。野菜室１０内には後に詳述される固定具付き収納容器１７が収容されている。また、冷凍室１１，１２内には上面開口の冷凍室の収納容器１８，１９が設けられている。そして、固定具付き収納容器１７及び冷凍室の収納容器１８，１９はそれぞれ引き出し式断熱扉１４，１５，１６と連結されており、引き出し式断熱扉１４，１５，１６を引き出したとき、同時に引き出すことができるようになっている。
【００３３】
［固定具付き収納容器１７の構成の説明］
次に、冷蔵庫本体１の野菜室１０内に収容されている固定具付き収納容器１７の構成について、図２に基づいて説明する。
【００３４】
図２（ａ）に示すように、この固定具付き収納容器１７は、略直方体に形成された収納容器２０と説明を容易にするために例えば２本の帯状の紐Ａ３０と、１本の帯状の紐Ｂ３２とを備えている。
【００３５】
収納容器２０は、図２（ａ）のＡ−Ａ線における断面図である図２（ｂ）に示すように、底部２２と側部２４と開口部２６とを有している。そして、収納容器２０の底部２２に略平行な側部２４の内周に沿って枠体２８が設けられ、この枠体２８の上部にほぼ一定の間隔でピン２４ａが立設されている。ここで、枠体２８の収納容器２０の底部２２の内側からの高さは、収納容器２０の底部２２から開口部２６までの高さの略３分の２の位置に配置されている。また、収納容器２０の底部２２の内側には様々な大きさの野菜の下端部を収納するのに適当な凹部２２ａ，２２ｂ，２２ｃ，２２ｄが複数形成されている。
【００３６】
２本の紐Ａ３０は、伸縮性を有する部材、例えばフッ素ゴムから形成されており、図２（ｃ）にその平面図で示すように、その両端にそれぞれ１つのリング部３０ａを有している。この両端にそれぞれ１つのリング部３０ａの内径は収納容器２０のピン２４ａの外径よりも大きく形成されている。なお、収納容器２０の側部２４からピン２４ａまでの距離はリング部３０ａの外周半径と内周半径との差よりも大きく形成されている。
【００３７】
１本の紐Ｂ３２は、伸縮性を有する部材、例えばフッ素ゴムから形成されており、図２（ｄ）にその平面図で示すように、その両端と中間部とにそれぞれ２つ、合計４つのリング部３２ａを有している。この４つのリング部３２ａの内径は収納容器２０のピン２４ａの外径よりも大きく形成されている。なお、収納容器２０の側部２４からピン２４ａまでの距離はリング部３２ａの外周半径と内周半径との差よりも大きく形成されている。
【００３８】
以上、本実施形態の冷蔵庫の固定具付き収納容器１７の構成について説明したが、本実施形態における冷蔵庫の固定具付き収納容器１７の構成と、実用新案登録請求の範囲に記載した構成との対応関係は次の通りである。即ち、本実施形態のピン２４ａが収納容器内の側部に設けられた１つ以上の被係止部もしくは突起部に該当し、紐Ａ３０と紐Ｂ３２とが、紐体もしくは伸縮性を有する紐状の部材に該当し、凹部２２ａ，２２ｂ，２２ｃ，２２ｄが収納容器内の底部に有する１つ以上の凹部に該当し、リング部３０ａ，３２ａが１つ以上の紐体が有する複数の係止部に該当する。
【００３９】
［使用方法の説明］
次に、この固定具付き収納容器１７の使用方法を図２（ａ），（ｂ）に基づいて説明する。
【００４０】
まず、収納容器２０の底部２２の内側に有する様々な大きさの凹部２２ａ，２２ｂ，２２ｃ，２２ｄから収納される野菜の下端部を収納するのに適当な大きさの凹部２２ａ，２２ｂ，２２ｃ，２２ｄを選択する。
【００４１】
そして、例えば収納される野菜の下端部を選択された凹部２２ａ，２２ｂ，２２ｃ，２２ｄに収納し、収納される野菜の大きさに応じて、野菜を立てた状態で収納する空間４０ａ，４０ｂ，４０ｃ，４０ｄや他の空間を作る。例えば、２本の紐Ａ３０と１本の紐Ｂ３２とを交差させ２本の紐Ａ３０と１本の紐Ｂ３２とで空間４０ａ，４０ｂ，４０ｃ，４０ｄや他の空間を作ったり、２本の紐Ａ３０と１本の紐Ｂ３２と収納容器２０の側壁２４とで空間４０ａ，４０ｂ，４０ｃ，４０ｄや他の空間を作る。
【００４２】
また、例えば収納される野菜の大きさに応じて、予め収納する空間４０ａ，４０ｂ，４０ｃ，４０ｄや他の空間を作ってもよい。その作り方は、例えば上述と同じでよい。そして、形成された空間４０ａ，４０ｂ，４０ｃ，４０ｄや他の空間へ野菜を立てた状態で収納する。この場合、２本の紐Ａ３０と１本の紐Ｂ３２は伸縮性を有するので、２本の紐Ａ３０と１本の紐Ｂ３２を水平方向へ伸ばして、容易に野菜を収納することができる。
【００４３】
このとき、２本の紐Ａ３０と１本の紐Ｂ３２とが有する両端にそれぞれ１つのリング部３０ａと４つのリング部３２ａとを、収納容器２０の底部２２に略平行な側部２４の内周に沿って設けられた枠体２８の上部にほぼ一定の間隔で立設されているピン２４ａから適当に選択されたピン２４ａへ挿入する。このように野菜を収納する例えば空間４０ａ，４０ｂ，４０ｃ，４０ｄや他の空間を形成すると、野菜の下端部は凹部２２ａ，２２ｂ，２２ｃ，２２ｄで支えられ、野菜の側部は例えば２本の紐Ａ３０と１本の紐Ｂ３２と収納容器２０の側壁２４とで支えられ、野菜の下端部が収納容器２０の底部２２で滑って野菜が傾いたり、倒れて横になることを防止でき、野菜を立てた状態で保存できる。
【００４４】
なお、ここでは、収納容器２０の底部２２に略平行な側部２４の内周に沿って枠体２８が設けられ、この枠体２８の上部にほぼ一定の間隔でピン２４ａが立設されていたが、これには限らない。２本の紐Ａ３０と１本の紐Ｂ３２とを収納容器２０の内部で水平配置させて引掛けて離れなければよいので、ピン２４ａは、フック形状の被係止部でもよいし、先端が上向きであればよい。したがって、例えば収納容器２０の底部２２に略平行な側部２４の内周に沿ってほぼ一定の間隔で先端が上向きのフック部を直接設けてもよい。
【００４５】
また、収納容器２０の底部２２の内側には様々な大きさの凹部２２ａ，２２ｂ，２２ｃ，２２ｄを複数有していたが、これには限らない。凹部は無くても良いし、１つでもよい。また収納容器２０の底部２２の内側に有する様々な大きさの凹部２２ａ，２２ｂ，２２ｃ，２２ｄは４種類であったが、これには限らない。１種類でもよいし、複数種類であってもよい。
【００４６】
さらに、ここでは、使用した紐は両端にそれぞれ１つのリング部３０ａを有する２本の紐Ａ３０と４つのリング部３２ａを有する１本の紐Ｂ３２とであったが、これには限らない。１本に有するリング部の数は、３つでも５つ以上でもよいし、使用する紐の本数も収納される野菜の種類、大きさに応じて１本以上であればよい。
【００４７】
［効果の説明］
このような実施形態の冷蔵庫本体１を構成する固定具付き収納容器１７によれば、次のような効果を奏する。
【００４８】
（１）すなわち、従来の冷蔵庫における野菜立てにおいては、紐の両端が固定されていたので、様々な大きさの細長い形の野菜を立てた状態で保存することが難しかった。それに対して、本考案を適用した固定具付き収納容器１７は、その側部２４の内周に沿って枠体２８が設けられ、この枠体２８の上部にほぼ一定の間隔でピン２４ａが立設され、その底部２２の内側には様々な大きさの凹部２２ａ，２２ｂ，２２ｃ，２２ｄを複数有している収納容器２０と、このピン２４ａへ挿入できる両端にそれぞれ１つのリング部３０ａを有する２本の紐Ａ３０と、このピン２４ａへ挿入できる４つのリング部３２ａを有する１本の紐Ｂ３２とを備えている。なお、枠体２８の収納容器２０の底部２２の内側からの高さは、収納容器２０の底部２２から開口部２６までの高さの略３分の２の位置に配置されている。このような構成を備えているので２本の紐Ａ３０が有する両端にそれぞれ１つのリング部３０ａと１本の紐Ｂ３２が有する４つのリング部３２ａとを収納容器２０の側部２４に設けられたピン２４ａのうち任意のピン２４ａへ挿入でき、収納容器２０に収納される野菜の大きさに応じて、野菜を立てた状態で収納する空間４０ａ，４０ｂ，４０ｃ，４０ｄや他の空間を形成できる。例えば、２本の紐Ａ３０と１本の紐Ｂ３２とを交差させ２本の紐Ａ３０と１本の紐Ｂ３２とで空間４０ａ，４０ｂ，４０ｃ，４０ｄや他の空間を形成したり、２本の紐Ａ３０と１本の紐Ｂ３２と収納容器２０の側壁２４とで空間４０ａ，４０ｂ，４０ｃ，４０ｄや他の空間を形成できる。したがって、野菜を横に寝かせた状態で保存する場合と比較して野菜の傷み具合を少なくできる。すなわち同じ程度の傷み具合になるまでの野菜の保存期間を長くできる。
【００４９】
（２）また、本考案を適用した固定具付き収納容器１７は、その底部２２の内側には様々な大きさの凹部２２ａ，２２ｂ，２２ｃ，２２ｄを複数有している収納容器２０を備えているので、この凹部２２ａ，２２ｂ，２２ｃ，２２ｄに野菜の下端部を収納して野菜を立てた状態で収納すれば、野菜の下端部はこの凹部２２ａ，２２ｂ，２２ｃ，２２ｄで支えられ、例えば野菜の側部は２本の紐Ａ３０と、１本の紐Ｂ３２と、収納容器２０の側部２４とで支えられることとなる。そのため、野菜の下端部が収納容器２０の底部２２で滑って野菜が傾いたり、倒れて横になることを防止できる。
【００５０】
（３）なお、２本の紐Ａ３０が有するリング部３０ａはその両端にそれぞれ１つのみなので、２本の紐Ａ３０は製造が容易な構造である。
（４）さらに、２本の紐Ａ３０と１本の紐Ｂ３２とが、伸縮性を有する部材、例えばフッ素ゴムから形成されているので、収納される野菜の大きさが変わっても、ピン２４ａへ挿入する例えば２本の紐Ａ３０が有する両端にそれぞれ１つのリング部３０ａと１本の紐Ｂ３２が有する４つのリング部３２ａを臨機応変に変更することができる。また、例えば２本の紐Ａ３０と１本の紐Ｂ３２とを水平方向へ伸ばして、容易に野菜を収納したり、取り出したりすることもできる。さらに、収納する野菜の水平方向の大きさが、収納空間の大きさより多少大きくても、例えば２本の紐Ａ３０と１本の紐Ｂ３２とを水平方向へ伸ばして収納することができる。また、収納される野菜は２本の紐Ａ３０と１本の紐Ｂ３２とが伸びて密着して支えるので、支える力が分散され、野菜の傷みを少なくできる。
【００５１】
［他の実施形態］
以上、本考案の実施形態について説明したが、本考案は上記実施形態に限定されるものではなく、以下のような様々な態様にて実施することが可能である。
【００５２】
（１）他の実施形態１
上記実施形態の固定具付き収納容器１７では、収納容器２０の底部２２に略平行な側部２４の内周に沿って枠体２８が設けられ、この枠体２８の上部にほぼ一定の間隔でピン２４ａが立設されていたが、これには限らない。図３（ａ）に示す他の実施形態１の固定具付き収納容器１１７のように収納容器１２０の底部１２２に略平行な側部１２４の内周に沿ってほぼ一定の間隔でリング部１２４ａが側部１２４に設けられていてもよい。
【００５３】
この場合には、２本の紐Ｄ１３０は、図３（ｂ）にその平面図で示すように、その両端にそれぞれ１つのフック部１３０ａを有している。そして、この両端にそれぞれ１つのフック部１３０ａはリング部１２４ａに挿入してフック部１３０ａをリング部１２４ａへ係止し、フック部１３０ａをリング部１２４ａから取り外し可能な形状で、且つ剛性を有する材料例えば金属もしくは樹脂で形成されている。
【００５４】
また、１本の紐Ｅ１３２は、図３（ｃ）にその平面図で示すように、その両端と中間部とにそれぞれ２つ、合計４つのフック部１３２ａを有している。そして、この４つのフック部１３２ａの形状と材料とはフック部１３０ａと同じである。
【００５５】
さらに、図３（ｄ）は、収納容器１２０のリング部１２４ａに紐Ｄ１３０のフック部１３０ａを挿入して係止した状態を示す部分断面図である。
なお、ここでは、使用した紐は両端にそれぞれ１つのフック部１３０ａを有する２本の紐Ｄ１３０と４つのフック部１３２ａを有する１本の紐Ｅ１３２とであったが、これには限らない。１本に有するフック部の数は、３つでも５つ以上でもよいし、使用する紐の本数も収納される野菜の種類、大きさに応じて１本以上であればよい。
【００５６】
このような他の実施形態１の固定具付き収納容器１１７によれば、上記実施形態と同様の効果を奏する。
ここで、リング部１２４ａが収納容器内の側部に設けられた１つ以上の被係止部に該当し、フック部１３０ａ，１３２ａが１つ以上の紐体が有する複数の係止部もしくは突起部に該当する。
【００５７】
（２）他の実施形態２
上記実施形態の固定具付き収納容器１７では、収納容器２０の底部２２に略平行な側部２４の内周に沿って枠体２８が設けられ、この枠体２８の上部にほぼ一定の間隔でピン２４ａが立設されていたが、これには限らない。図４（ａ）に示す他の実施形態２の固定具付き収納容器２１７のように収納容器２２０の底部２２２に略平行な側部２２４の内周に沿ってほぼ一定の間隔で穴部２２４ａが側部２２４に設けられていてもよい。
【００５８】
この場合には、２本の紐Ｆ２３０は、図４（ｂ）にその側面図で示すように、その両端にそれぞれ１つのラッチ部２３０ａを有している。そして、この両端にそれぞれ１つのラッチ部２３０ａは穴部２２４ａに挿入してラッチ部２３０ａを穴部２２４ａへ係止し、ラッチ部２３０ａを穴部２２４ａから取り外す場合にはラッチ部２３０ａの外径を圧縮させて取り外し可能な形状で、且つ剛性を有する材料例えば金属もしくは樹脂で形成されている。
【００５９】
また、１本の紐Ｇ２３２は、図４（ｃ）にその平面図で示すように、その両端と中間部とにそれぞれ２つ、合計４つのラッチ部２３２ａを有している。そして、この４つのラッチ部２３２ａの形状と材料とはラッチ部２３０ａと同じである。
【００６０】
さらに、図４（ｄ）は、収納容器２２０の穴２２４ａに紐Ｆ２３０のラッチ部２３０ａを挿入して係止した状態を示す部分断面図である。
なお、ここでは、使用した紐は両端にそれぞれ１つのラッチ部２３０ａを有する２本の紐Ｆ２３０と４つのラッチ部２３２ａを有する１本の紐Ｇ２３２とであったが、これには限らない。１本に有するラッチ部の数は、３つでも５つ以上でもよいし、使用する紐の本数も収納される野菜の種類、大きさに応じて１本以上であればよい。
【００６１】
このような他の実施形態２の固定具付き収納容器２１７によれば、上記実施形態と同様の効果を奏する。
ここで、穴部２２４ａが収納容器内の側部に設けられた１つ以上の被係止部に該当し、ラッチ部２３０ａ，２３２ａが１つ以上の紐体が有する複数の係止部もしくは突起部に該当する。
【００６２】
（３）他の実施形態３
上記実施形態の固定具付き収納容器１７では、収納容器２０の底部２２に略平行な側部２４の内周に沿って枠体２８が設けられ、この枠体２８の上部にほぼ一定の間隔でピン２４ａが立設されていたが、これには限らない。図５（ａ）に示す他の実施形態３の固定具付き収納容器３１７のように収納容器３２０の底部３２２に略平行な側部３２４の内周に沿ってほぼ一定の間隔で平滑部３２４ａが側部３２４に設けられていてもよい。
【００６３】
この場合には、２本の紐Ｈ３３０は、図５（ｂ）にその平面図で示すように、その両端にそれぞれ１つの吸盤部３３０ａを有している。そして、この両端にそれぞれ１つの吸盤部３３０ａは平滑部３２４ａに吸着して吸盤部３３０ａを平滑部３２４ａへ係止可能な形状で、且つ柔軟な材料例えばフッ素ゴムで形成されている。
【００６４】
また、１本の紐Ｉ３３２は、図５（ｃ）にその平面図で示すように、その両端と中間部とにそれぞれ２つ、合計４つの吸盤部３３２ａを有している。そして、この４つの吸盤部３３２ａの形状は吸盤部３３０ａと同じである。
【００６５】
さらに、図５（ｄ）は、収納容器３２０の平滑部３２４ａに紐Ｈ３３０の吸盤部３３０ａを吸着して吸盤部３３０ａを平滑部３２４ａへ係止した状態を示す部分断面図である。
なお、ここでは、使用した紐は両端にそれぞれ１つの吸盤部３３０ａを有する２本の紐Ｈ３３０と４つの吸盤部３３２ａを有する１本の紐Ｉ３３２とであったが、これには限らない。１本に有する吸盤部の数は、３つでも５つ以上でもよいし、使用する紐の本数も収納される野菜の種類、大きさに応じて１本以上であればよい。
【００６６】
このような他の実施形態３の固定具付き収納容器３１７によれば、上記実施形態と同様の効果を奏する。
ここで、平滑部３２４ａが収納容器内の側部に設けられた１つ以上の被係止部に該当し、吸盤部３３０ａが吸着手段に該当する。
【００６７】
（４）他の実施形態４
上記実施形態の固定具付き収納容器１７では、両端にそれぞれ１つのリング部３０ａを有する２本の紐Ａ３０と４つのリング部３２ａを有する１本の紐Ｂ３２とが、収納容器２０から分離されていたが、これには限らない。図６（ａ）に示す他の実施形態４の固定具付き収納容器４１７のように紐Ｊ４３０の一端が収納容器４２０の側部４２４の内周に沿って設けられた枠体４２８の内部に固定ピン４３０ｂによって固定されていてもよい。
【００６８】
この場合には、紐Ｊ４３０は、収納容器４２０の側部４２４に固定されていない他端に１つのリング部４３０ａを有している。そして、このリング部４３０ａの内径は収納容器４２０のピン４２４ａの外径よりも大きく形成されている。
【００６９】
なお、ここでは、使用した紐Ｊ４３０は１つのリング部４３０ａを有していたが、これには限らない。１本に有するリング部の数は、２つ以上でもよいし、使用する紐の本数も収納される野菜の種類、大きさに応じて１本以上であればよい。
【００７０】
このような構成とすれば、紐Ｊ４３０を使用しない場合紐Ｊ４３０を取り外して紐Ｊ４３０を紛失してしまうということがない。
（５）他の実施形態５
上記実施形態の固定具付き収納容器１７では、その両端にそれぞれ１つのリング部３０ａを有する２本の紐Ａ３０と４つのリング部３２ａを有する１本の紐Ｂ３２とが、収納容器２０から分離されていたが、これには限らない。図６（ｂ）に示す他の実施形態５の固定具付き収納容器５１７のように紐Ｋ５３３は、紐本体５３４とその紐本体５３４を巻取り可能な自動巻取り器５３６を有していてもよい。そして、紐本体５３４の一端が収納容器５２０の側部５２４の内周に沿って設けられた枠体５２８の内部に固定ピン５３４ｂによって固定されていてもよい。
【００７１】
ここで、自動巻取り器５３６は、図６（ｂ）のＢ−Ｂ線における断面図である図６（ｃ）に示すように、紐本体５３４を自動巻取り器５３６の内部の軸（図示しない）に例えばゼンマイバネ（図示しない）によって巻きつけられるような構造を有している。ゼンマイバネは、野菜を立てた状態で支えるのに十分な巻取り力を有するように形成されている。
【００７２】
また、紐本体５３４は、収納容器４２０の側部４２４に固定されていない他端に１つのリング部５３４ａを有している。そして、このリング部５３４ａの内径は収納容器５２０のピン５２４ａの外径よりも大きく形成されている。
【００７３】
なお、ここでは、使用した紐本体５３４は１つのリング部５３４ａを有していたが、これには限らない。１本に有するリング部の数は、２つ以上でもよいし、使用する紐の本数も収納される野菜の種類、大きさに応じて１本以上であればよい。
【００７４】
このような構成とすれば、紐Ｋ５３３は、紐本体５３４とその紐本体５３４を巻取り可能な自動巻取り器５３６を有しているので、紐Ｋ５３３を使用しない場合には、紐本体５３４を自動巻取り器５３６によって巻き取った状態で収納容器内に保管できる。したがって、紐５３４を使用しない場合には、収納容器５２０で野菜を収納、取り出しするときに紐５３４が邪魔にならずに、紐５３４を取り外す手間が不要で、且つ紐５３４の紛失を防止できる。
【００７５】
さらに、少なくとも紐Ｋ５３３の紐本体５３４の一端が固定されている固定ピン５３４ｂと紐本体５３４を巻取り可能な自動巻取り器５３６とが、収納容器５２０の側部５２４の内部に収納されていてもよい。このような構成とすれば、紐Ｋ５３３を使用しない場合には、収納容器５２０の側部５２４の内部に少なくとも固定ピン５３４ｂと自動巻取り器５３６とが収納されるので、収納容器５２０で野菜を収納、取り出しするときに紐５３４が邪魔にならずに、さらに操作性がよくなる。
【００７６】
なお、紐Ｋ５３３は、紐本体５３４を巻取り可能な自動巻取り器５３６を有していたが、これには限らない。巻取り器は、手動による巻取り器でもよい。
ここで、自動巻取り器５３６が巻取り手段に該当する。
【００７７】
（６）他の実施形態６
上記実施形態の固定具付き収納容器１７では、収納容器２０の底部２２に略平行な側部２４の内周に沿って枠体２８が設けられ、この枠体２８の上部にほぼ一定の間隔でピン２４ａが立設されていたが、これには限らない。図７（ａ）に示す他の実施形態６の固定具付き収納容器６１７のように収納容器６２０の底部６２２に略平行な２つの側部６２４の内周に沿って枠体６２８ａ，６２８ｂが設けられ、この枠体６２８ａ，６２８ｂの上部にほぼ一定の間隔でピン６２４ａが立設されていてもよい。ここで、枠体６２８ａの収納容器６２０の底部６２２の内側からの高さは、収納容器６２０の底部６２２から開口部６２６までの高さの略４分の３の位置であり、枠体６２８ｂの収納容器６２０の底部６２２の内側からの高さは、収納容器６２０の底部６２２から開口部６２６までの高さの略４分の１の位置である。なお、３つ以上の側部の内周に沿って３つ以上の枠体が設けられ、この３つ以上の枠体の上部にほぼ一定の間隔でピンが立設されていてもよい。
【００７８】
図７（ａ）に示すような構成とすれば、底部６２２に近い側部６２４の内周に沿って設けられた枠体６２８ｂの上部にほぼ一定の間隔で立設されたピン６２４ａに係止された１本以上の紐（図示しない）によって収納容器６２０に収納される野菜の大きさに応じて、野菜を立てた状態で野菜の下部を収納する空間（図示しない）を形成できる。例えば１本以上の紐（図示しない）を交差させ１本以上の紐（図示しない）と１本以上の紐（図示しない）とで空間（図示しない）を形成したり、１本以上の紐（図示しない）と収納容器６２０の側壁６２４とで空間（図示しない）を形成できる。
【００７９】
そして、野菜を立てた状態で開口部６２６に近い側部６２４の内周に沿って設けられた枠体６２８ａの上部にほぼ一定の間隔で立設されたピン６２４ａに係止された１本以上の紐（図示しない）によって収納容器６２０に収納される野菜の大きさに応じて、野菜を立てた状態で野菜の側部を収納する空間（図示しない）を形成できる。例えば１本以上の紐（図示しない）を交差させ１本以上の紐（図示しない）と１本以上の紐（図示しない）とで空間（図示しない）を形成したり、１本以上の紐（図示しない）と収納容器６２０の側壁６２４とで空間（図示しない）を形成できる。
【００８０】
したがって、野菜の下部は例えば底部６２２に近い紐と収納容器６２０の側部６２４とで支えられ、野菜の側部は例えば開口部６２６に近い紐と収納容器６２０の側部６２４とで支えられるので、野菜の下端部が収納容器６２０の底部６２２で滑って野菜が傾いたり、倒れて横になることを防止できる。
【００８１】
また、図７（ａ）に示すように２本の紐Ｌ６３０を底部６２２に対して傾斜して交差させるように配置させることによって長さの短い野菜、例えば人参、アスパラ、セロリなども立てた状態で収納することができる。つまり、枠体６２８ｂの上部にほぼ一定の間隔で立設されたピン６２４ａと、枠体６２８ａの上部にほぼ一定の間隔で立設されたピン６２４ａとに引掛けられた例えば両端にそれぞれ１つのリング部６３０ａを有する２本の紐Ｌ６３０によって、収納容器６２０に収納される野菜の大きさに応じて、野菜を立てた状態で野菜を収納する空間（図示しない）を形成することもできる。
【００８２】
さらに、例えば両端にそれぞれ１つのリング部を有する１本の長い紐（図示しない）を底部６２２に対して水平、傾斜、水平、傾斜して交差させるように配置させてもよい。つまり、例えば枠体６２８ｂの上部にほぼ一定の間隔で立設されたピン６２４ａに１つのリング部を引掛けて、このピン６２４ａに水平に対向する同じ枠体６２８ｂのピン６２４ａに紐を水平に引掛け、このピン６２４ａに傾斜して対向する枠体６２８ａの上部にほぼ一定の間隔で立設されたピン６２４ａに紐を斜めに引掛け、このピン６２４ａに水平に対向する同じ枠体６２８ａのピン６２４ａに紐を水平に引掛け、初めに１つのリング部を引掛けたピン６２４ａに他の１つのリング部を引掛けて紐を斜めに形成することもできる。なお、底部６２２に対しての交差は、水平と、傾斜とを様々に組み合わせてもよい。
【００８３】
ここでは、使用した紐は両端にそれぞれ１つのリング部６３０ａを有する２本の紐Ｌ６３０であったが、これには限らない。１本に有するリング部の数は、３つ以上でもよいし、使用する紐の本数も収納される野菜の種類、大きさに応じて１本以上であればよい。
【００８４】
（７）他の実施形態７
上記実施形態の固定具付き収納容器１７では、収納容器２０の底部２２に略平行な側部２４の内周に沿って枠体２８が設けられ、この枠体２８の上部にほぼ一定の間隔でピン２４ａが立設されていたが、これには限らない。他の実施形態６の紐（図示しない）に代えて、図７（ｂ）に示すように紐Ｍ７３３は、紐本体７３４とその紐本体７３４を巻取り可能な自動巻取り器７３６を有していてもよい。
【００８５】
ここで、自動巻取り器７３６は、図６（ｂ）、（ｃ）に示した自動巻取り器５３６と同じ構造を有する。もちろん、紐Ｍ７３３は、紐本体７３４を巻取り可能な自動巻取り器７３６を有していたが、これには限らない。巻取り器は、手動による巻取り器でもよい。
【００８６】
また、紐Ｍ７３３の紐本体７３４の一端が収納容器７２０の側部７２４の内周に沿って設けられた枠体７２８ａ，７２８ｂの内部に固定ピン７３４ｂによって固定されていてもよい。
【００８７】
この場合には、紐本体７３４は、収納容器７２０の側部７２４に固定されていない他端に１つのリング部７３４ａを有している。そして、このリング部７３４ａの内径は収納容器７２０のピン７２４ａの外径よりも大きく形成されている。
【００８８】
なお、ここでは、使用した紐Ｍ７３３は１つのリング部７３０ａを有していたが、これには限らない。１本に有するリング部の数は、２つ以上でもよいし、使用する紐の本数も収納される野菜の種類、大きさに応じて１本以上であればよい。
【００８９】
図７（ｂ）に示す他の実施形態７の固定具付き収納容器７１７のような構成とすれば、１本以上の紐Ｍ７３３の一端が固定ピン７３４ｂによって固定された高さは、枠体７２８ａ，７２８ｂの上部にほぼ一定の間隔で立設されたピン７２４ａよりも若干下がった位置に配置されているので、底部７２２に近い枠体７２８ａに固定されている１本以上の紐Ｍ７３３を水平配置させて収納容器７２０に収納される野菜の大きさに応じて、野菜を立てた状態で野菜の下部を収納する空間（図示しない）を形成できる。例えば１本以上の紐Ｍ７３３を交差させ１本以上の紐Ｍ７３３と１本以上の紐Ｍ７３３とで空間（図示しない）を形成したり、１本以上の紐Ｍ７３３と収納容器７２０の側壁７２４とで空間（図示しない）を形成できる。
【００９０】
そして、野菜を立てた状態で開口部７２６に近い枠体７２８ｂに固定されている１本以上の紐Ｍ７３３を水平配置させて収納容器７２０に収納される野菜の大きさに応じて、野菜を立てた状態で野菜の側部を収納する空間（図示しない）を形成できる。例えば１本以上の紐Ｍ７３３を交差させ１本以上の紐Ｍ７３３と１本以上の紐Ｍ７３３とで空間（図示しない）を形成したり、１本以上の紐Ｍ７３３と収納容器６２０の側壁６２４とで空間（図示しない）を形成できる。
【００９１】
したがって、野菜の下部は例えば底部７２２に近い１本以上の紐Ｍ７３３と収納容器７２０の側部７２４とで支えられ、野菜の側部は例えば開口部７２６に近い１本以上の紐Ｍ７３３と収納容器７２０の側部７２４とで支えられるので、野菜の下端部が収納容器７２０の底部７２２で滑って野菜が傾いたり、倒れて横になることを防止できる。
【００９２】
さらに、少なくとも紐Ｍ７３３の紐本体７３４の一端が固定されている固定ピン７３４ｂと紐本体７３４を巻取り可能な自動巻取り器７３６とが、収納容器７２０の側部７２４の内部に収納されていてもよい。このような構成とすれば、紐Ｍ７３３を使用しない場合には、収納容器７２０の側部７２４の内部に少なくとも固定ピン７３４ｂと自動巻取り器７３６とが収納されるので、収納容器７２０で野菜を収納、取り出しするときに紐Ｍ７３３が邪魔にならずに、さらに操作性がよくなる。
【００９３】
また、図７（ｂ）に示すように２本の紐Ｎ７４３を底部７２２に対して傾斜して交差させるように配置させることによって長さの短い野菜、例えば人参、アスパラ、セロリなども立てた状態で収納することができる。つまり、枠体７２８ｂの上部にほぼ一定の間隔で立設されたピン７２４ａと枠体７２８ａの上部にほぼ一定の間隔で立設されたピン７２４ａとに引掛けられた例えば２本の紐Ｎ７４３によって収納容器７２０に収納される野菜の大きさに応じて、野菜を立てた状態で野菜を収納する空間（図示しない）を形成することもできる。なお、この２本の紐Ｎ７４３は、紐Ｍ７３３と同じ構造を有しており、２本の紐Ｎ７４３の紐本体７４４の一端が収納容器７２０の枠体７２８ａの内部に固定ピン７４４ｂによって固定されている。
【００９４】
さらに、例えば紐本体の一端が収納容器７２０の枠体７２８ａの内部に固定ピン（図示しない）によって固体され、他端に１つのリング部を有する１本の長い紐（図示しない）を底部７２２に対して水平、傾斜、水平、傾斜して交差させるように配置させてもよい。つまり、例えば紐本体の一端が枠体７２８ａの内部に固定された固定ピンに水平に対向する同じ枠体７２８ａのピン７２４ａに紐を水平に引掛け、このピン７２４ａに傾斜して対向する枠体６２８ｂの上部にほぼ一定の間隔で立設されたピン７２４ａに紐を斜めに引掛け、このピン７２４ａに水平に対向する同じ枠体７２８ｂのピン７２４ａに紐を水平に引掛け、紐本体の一端が枠体７２８ａの内部に固定された固定ピン近傍のピン７２４ａに１つのリング部を引掛けて紐を斜めに形成することもできる。なお、底部７２２に対しての交差は、水平と、傾斜とを様々に組み合わせてもよい。
【００９５】
ここでは、使用した２本の紐Ｎ７４３は１つのリング部７４４ａを有していたが、これには限らない。１本に有するリング部の数は、２つ以上でもよいし、使用する紐Ｎ７４３の本数も収納される野菜の種類、大きさに応じて１本以上であればよい。
【００９６】
ここで、自動巻取り器７３６、７４６が巻取り手段に該当する。
【図面の簡単な説明】
【００９７】
【図１】本実施形態の冷蔵庫本体１の縦断面図である。
【図２】（ａ）は本実施形態の冷蔵庫の固定具付き収納容器１７の斜視図であり、（ｂ）は（ａ）のＡ−Ａ線における断面図であり、（ｃ）は紐Ａ３０の平面図であり、（ｄ）は紐Ｂ３２の平面図である。
【図３】（ａ）は他の実施形態１の冷蔵庫の固定具付き収納容器１１７の断面図であり、（ｂ）は紐Ｄ１３０の平面図であり、（ｃ）は紐Ｅ１３２の平面図であり、（ｄ）は他の実施形態１の冷蔵庫の固定具付き収納容器１１７に紐Ｄ１３０を取り付けた部分断面図である。
【図４】（ａ）は他の実施形態２の冷蔵庫の固定具付き収納容器２１７の断面図であり、（ｂ）は紐Ｆ２３０の側面図であり、（ｃ）は紐Ｇ２３２の平面図であり、（ｄ）は他の実施形態２の冷蔵庫の固定具付き収納容器２１７に紐Ｆ２３０を取り付けた部分断面図である。
【図５】（ａ）は他の実施形態３の冷蔵庫の固定具付き収納容器３１７の断面図であり、（ｂ）は紐Ｈ３３０の平面図であり、（ｃ）は紐Ｉ３３２の平面図であり、（ｄ）は他の実施形態３の冷蔵庫の固定具付き収納容器３１７に紐Ｈ３３０を取り付けた部分断面図である。
【図６】（ａ）は他の実施形態４の紐Ｊ４３０を固定された冷蔵庫の固定具付き収納容器４１７の断面図であり、（ｂ）は他の実施形態５の紐Ｋ５３３を固定された冷蔵庫の固定具付き収納容器５１７の断面図であり、（ｃ）は（ｂ）のＢ−Ｂ線における断面図である。
【図７】（ａ）は他の実施形態６の冷蔵庫の固定具付き収納容器６１７の断面図であり、（ｂ）は他の実施形態７の紐Ｍ７３３を固定された冷蔵庫の固定具付き収納容器７１７の断面図である。
【符号の説明】
【００９８】
１…冷蔵庫本体、２…外箱、３…内箱、４，５…断熱材、６，７，８…中間仕切り壁、９…冷蔵室、１０…野菜室、１１，１２…冷凍室、１３…回転式断熱扉、１４，１５，１６…引き出し式断熱扉、１７，２１７，３１７，４１７，５１７，６１７，７１７…冷蔵庫の固定具付き収納容器、１８，１９…冷凍室の収納容器、２０，１２０，２２０，３２０，４２０，５２０，６２０，７２０…収納容器、２２，１２２，２２２，３２２，４２２，５２２，６２２，７２２…底部、２４，１２４，２２４，３２４，４２４，５２４，６２４，７２４…側部、３２４ａ…平滑部、２６，１２６，２２６，３２６，４２６，５２６，６２６，７２６…開口部、２２ａ，２２ｂ，２２ｃ，２２ｄ…凹部、２８，４２８，５２８，６２８ａ，６２８ｂ，７２８ａ，７２８ｂ…枠体、４０ａ，４０ｂ，４０ｃ，４０ｄ…空間、２４ａ、４２４ａ，５２４ａ，６２４ａ，７２４ａ…突起部、１２４ａ…リング部、２２４ａ…穴部、３０…紐Ａ、３２…紐Ｂ、３３…紐Ｃ、１３０…紐Ｄ、１３２…紐Ｅ、２３０…紐Ｆ、２３２…紐Ｇ、３３０…紐Ｈ、３３２…紐Ｉ、４３０…紐Ｊ、５３３…紐Ｋ、６３０…紐Ｌ、７３３…紐Ｍ、７４３…紐Ｎ、３４，５３４，７３４、７４４…紐本体、３０ａ，３２ａ，３４ａ，４３０ａ，５３４ａ，６３０ａ，７３４ａ，７４４ａ…リング部、１３０ａ，１３２ａ…フック部、２３０ａ，２３２ａ…ラッチ部、３３０ａ，３３２ａ…吸盤部、４３０ｂ，５３４ｂ，７３４ｂ，７４４ｂ…固定ピン、３６，５３６，７３６，７４６…自動巻取り器。
【図１】
0003116009.tif 000003
【図２】
0003116009.tif 000004
【図３】
0003116009.tif 000005
【図４】
0003116009.tif 000006
【図５】
0003116009.tif 000007
【図６】
0003116009.tif 000008
【図７】
0003116009.tif 000009